(57)【特許請求の範囲】
【請求項１】
浴槽本体と、
前記浴槽本体の上部に載せられた着座可能なバスボードと、
前記バスボードと隣接するように設けられた着座可能なカウンタと、
風呂蓋と、
を備え、
前記バスボードの前記カウンタ側の端部と、前記カウンタの前記バスボード側の端部とが近傍に位置しており、
前記バスボードの前記カウンタ側の端部近傍の少なくとも一面と、前記カウンタの前記バスボード側の端部近傍の少なくとも一面とが略揃えられており、
前記風呂蓋は、前記バスボードを覆うように前記浴槽本体のフランジ部上に載置される浴槽装置。
【請求項２】
前記バスボードの前記カウンタ側の端部近傍における上面と、前記カウンタの前記バスボード側の端部近傍における上面とが略揃えられている請求項１に記載の浴槽装置。
【請求項３】
前記バスボードの前記カウンタ側の端部近傍における前側面と、前記カウンタの前記バスボード側の端部近傍における前側面とが略揃えられている請求項１から２までの何れか１項に記載の浴槽装置。
【請求項４】
前記バスボードが前記風呂蓋に覆われた状態において、前記バスボードの上面が前記風呂蓋の下面と当接している請求項１から３までの何れか１項に記載の浴槽装置。
【請求項５】
前記浴槽本体のフランジ部の上面と前記バスボードの上面とが略揃えられている請求項１から４までの何れか１項に記載の浴槽装置。
【発明の詳細な説明】
【技術分野】
【０００１】
本発明は、浴槽装置に関する。
【背景技術】
【０００２】
従来から、浴槽本体と、該浴槽本体の上部に載せられたユーザが着座することのできる蓋体（以下「バスボード」と称する）とを備える浴槽装置が知られている（例えば特許文献１参照）。
【先行技術文献】
【特許文献】
【０００３】
【特許文献１】特開２００５−９５４２６号公報
【発明の概要】
【発明が解決しようとする課題】
【０００４】
ところで、浴槽装置の洗い場にもユーザが着座することのできるカウンタが設けられる場合がある。この場合、浴槽本体上のバスボードと洗い場のカウンタとの間を容易に移乗できることが望ましい。
【０００５】
本発明の目的は、このような課題に鑑みてなされたもので、カウンタとバスボードの間の移乗が容易な浴槽装置を提供することにある。
【課題を解決するための手段】
【０００６】
上記課題を解決するために、本発明のある態様の浴槽装置は、浴槽本体と、浴槽本体の上部に載せられた着座可能なバスボードと、バスボードと隣接するように設けられた着座可能なカウンタと、を備える。バスボードのカウンタ側の端部近傍の少なくとも一面と、カウンタのバスボード側の端部近傍の少なくとも一面とが略揃えられている。
【０００７】
この態様によると、バスボードとカウンタとの間の段差が抑えられるため、着座したままのバスボードとカウンタの間の移乗が容易となる。
【０００８】
バスボードのカウンタ側の端部近傍における上面と、カウンタのバスボード側の端部近傍における上面とが略揃えられていてもよい。
【０００９】
バスボードのカウンタ側の端部近傍における前側面と、カウンタのバスボード側の端部近傍における前側面とが略揃えられていてもよい。
【発明の効果】
【００１０】
本発明によれば、カウンタとバスボードの間の移乗が容易な浴槽装置を提供できる。
【図面の簡単な説明】
【００１１】
【図１】本発明の実施形態に係る浴槽装置を示す斜視図である。
【図２】本発明の実施形態に係る浴槽装置の使用状態を説明するための図である。
【図３】本発明の第１実施形態に係る浴槽装置におけるバスボードとカウンタの位置関係を説明するための図である。
【図４】第１実施形態の変形例に係る浴槽装置におけるバスボードとカウンタの位置関係を説明するための図である。
【図５】本発明の第２実施形態に係る浴槽装置を説明するための平面図である。
【図６】第２実施形態の変形例に係る浴槽装置を説明するための平面図である。
【図７】本発明の第３実施形態に係る浴槽装置の斜視図である。
【図８】本発明の第３実施形態に係る浴槽装置の分解斜視図である。
【発明を実施するための形態】
【００１２】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は、本発明の実施形態に係る浴槽装置１００を示す斜視図である。図１に示すように、浴槽装置１００は、浴槽本体１１０と、浴槽本体１１０の隣の洗い場１１１に設けられたカウンタ１１６と、浴槽本体１１０の上部に載せられるバスボード１１８とを備える。
【００１４】
浴槽本体１１０は、上部のフランジ部１１２の内側にフランジ部１１２から１段下がったフランジ段部１１４が周状に設けられている。バスボード１１８は、浴槽本体１１０のフランジ段部１１４に載せられる。バスボード１１８は、矩形板状の芯材の表面を表面材で覆った構成を有する。芯材は、発砲ポリスチレン等の発泡樹脂製であってよい。表面材は、ガラス繊維に合成樹脂を含浸した繊維強化樹脂（ＦＲＰ）の薄板であってよい。ユーザの座り心地を良くするために、表面材上にクッション材が設けられてもよい。クッション材は、例えば発泡ポリエチレン等の発泡樹脂製であってよい。
【００１５】
カウンタ１１６は、浴槽装置１００の一壁面１１９から水平方向に延出した略板状体である。カウンタ１１６は、バスボード１１８と隣接するように設けられている。図１に示すように、カウンタ１１６の浴槽本体１１０側の浴槽側端部１１６ａは、浴槽本体１１０の近傍まで延在している。浴槽装置１００では、ユーザがカウンタ１１６に着座する使用態様を想定しているため、カウンタ１１６はユーザが着座しても耐えうる強度に形成されている。
【００１６】
図２は、本発明の実施形態に係る浴槽装置１００の使用状態を説明するための図である。本実施形態に係る浴槽装置１００は、通常の浴槽本体１１０内の湯にユーザが全身を入れて使用するだけでなく、図２に示すようなユーザが湯に足のみを入れて使用することができる。湯に足のみを入れる使用の場合、バスボード１１８を浴槽本体１１０の長手方向の端部１１５（図１に示すように壁面１１９側）に寄せて位置させた状態で、ユーザがバスボード１１８上に着座する。
【００１７】
上述したように、本実施形態に係る浴槽装置１００では、ユーザは洗い場１１１のカウンタ１１６にも着座することができる。また、カウンタ１１６の浴槽側端部１１６ａは浴槽本体１１０の近傍まで延在している。従って、ユーザは、カウンタ１１６に着座した状態から立ち上がることなく、浴槽本体１１０上のバスボード１１８に移乗することができる。また逆に、浴槽本体１１０上のバスボード１１８に着座した状態から立ち上がることなく、カウンタ１１６に移乗することができる。
【００１８】
図３は、本発明の第１実施形態に係る浴槽装置１００におけるバスボード１１８とカウンタ１１６の位置関係を説明するための図である。
【００１９】
上述したように、浴槽本体１１０は、フランジ部１１２の内側にフランジ部１１２から１段下がったフランジ段部１１４が設けられており、該フランジ段部１１４にバスボード１１８が載置されている。これにより、フランジ部１１２の上面とバスボード１１８の上面１１８ａとが略揃えられている。
【００２０】
カウンタ１１６の浴槽側端部１１６ａは、浴槽本体１１０の側面１１０ａの近傍まで延在している。図３では、カウンタ１１６の浴槽側端部１１６ａと浴槽本体１１０の側面１１０ａは僅かに離間しているが、カウンタ１１６の浴槽側端部１１６ａと浴槽本体１１０の側面１１０ａは当接していてもよい。カウンタ１１６の浴槽側端部１１６ａと浴槽本体１１０の側面１１０ａは、カウンタ１１６の上面１１６ｂより一段低い部材を介して当接してもよい。この場合、カウンタ１１６からの水がフランジ部１１２を伝って浴槽内に水が入り込むことを防止できる。
【００２１】
本第１実施形態に係る浴槽装置１００では、バスボード１１８の上面１１８ａと、カウンタ１１６の上面１１６ｂとが略揃えられている。すなわち、バスボード１１８の上面１１８ａの高さと、カウンタ１１６の上面１１６ｂの高さとが略等しくなっている。これによりバスボード１１８とカウンタ１１６との間の上面の段差が抑えられるため、着座したままのバスボード１１８とカウンタ１１６の間の移乗が容易となる。このとき、バスボード１１８とカウンタ１１６との間に位置するフランジ部１１２の上面も、バスボード１１８の上面１１８ａおよびカウンタ１１６の上面１１６ｂと略同じ高さであることが好ましい。この場合、フランジ部１１２の全周の上面が全て同じ高さであってもよいし、バスボード１１８とカウンタ１１６との間に位置するフランジ部１１２の上面だけが同じ高さであってもよい。また、フランジ部１１２は少なくともカウンタ１１６とバスボード１１８の間にあればよく、浴槽本体１１０の全周にわたって存在していなくてもよい。
【００２２】
図３では、バスボード１１８の上面１１８ａの全域が、カウンタ１１６の上面１１６ｂの全域と揃えられている。しかしながら、少なくとも、バスボード１１８のカウンタ１１６側の端部近傍領域１１８ｂにおける上面１１８ａと、カウンタ１１６のバスボード１１８側の端部近傍領域１１６ｃにおける上面１１６ｂとが略揃えられていればよい。バスボード１１８の端部近傍領域１１８ｂおよびカウンタ１１６の端部近傍領域１１６ｃは、それぞれの端部から例えば１０ｃｍ〜３０ｃｍ程度までであってよい。少なくとも端部から例えば１０ｃｍ〜３０ｃｍ程度までの領域において上面が揃っていれば、着座したままのバスボード１１８とカウンタ１１６の間を移乗が容易である。
【００２３】
上記ではバスボード１１８の上面１１８ａと、カウンタ１１６の上面１１６ｂとが略揃えられていると説明したが、両者の高さが厳密に一致している必要はなく、着座したままの移乗を容易にするという目的を達成する範囲において両者の高さに若干の差があってもよい。バスボード１１８の上面１１８ａの高さと、カウンタ１１６の上面１１６ｂの高さの差が例えば１０ｍｍ程度あったとしても、着座したままの移乗を容易にするという目的を達成可能であるため、バスボード１１８の上面１１８ａと、カウンタ１１６の上面１１６ｂとが略揃えられていると見なすことができる。
【００２４】
また、本実施形態に係る浴槽装置１００によれば、バスボード１１８の上面１１８ａと、カウンタ１１６の上面１１６ｂとが略揃えられていることにより、すっきりとした見栄えとなり、浴槽装置の意匠性を向上できる。
【００２５】
図４は、第１実施形態の変形例に係る浴槽装置２００におけるバスボード１１８とカウンタ１１６の位置関係を説明するための図である。図４に示す浴槽装置２００は、バスボード１１８の形状が図３に示す浴槽装置１００と異なる。本変形例に係る浴槽装置２００では、バスボード１１８の周縁部に段部１１８ｃが形成されている。
【００２６】
上記の第１実施形態に係る浴槽装置１００の説明では、バスボード１１８の端部近傍領域１１８ｂにおける上面１１８ａと、カウンタ１１６の端部近傍領域１１６ｃにおける上面１１６ｂとが略揃えられていればよいと説明した。しかしながら、バスボード１１８の端部近傍領域１１８ｂの一部に段部１１８ｃが形成されていても、着座したままの移乗を容易にするという目的を達成可能であるため、バスボード１１８の上面１１８ａと、カウンタ１１６の上面１１６ｂとが略揃えられていると見なすことができる。これはカウンタ１１６についても同様で、カウンタ１１６の端部近傍領域１１６ｃに段部（図示せず）が形成されている場合も、バスボード１１８の上面１１８ａと、カウンタ１１６の上面１１６ｂとが略揃えられていると見なすことができる。
【００２７】
また、カウンタ１１６には通常、上面１１６ｂ上に水が溜まるのを防ぐために１度〜２度程度の水勾配が設けられる。従って、厳密にはバスボード１１８の端部近傍領域１１８ｂにおける上面１１８ａとカウンタ１１６の端部近傍領域１１６ｃにおける上面１１６ｂが揃わない場合がある。しかしながら、この水勾配による高さの差がある場合も、着座したままの移乗を容易にするという目的を達成可能であるため、バスボード１１８の上面１１８ａと、カウンタ１１６の上面１１６ｂとが略揃えられていると見なすことができる。
【００２８】
図５は、本発明の第２実施形態に係る浴槽装置３００を説明するための平面図である。浴槽装置３００もまた、上述の浴槽装置１００と同様に、浴槽本体１１０と、浴槽本体１１０の隣の洗い場１１１に設けられたカウンタ１１６と、浴槽本体１１０の上部に載せられるバスボード１１８とを備える。
【００２９】
本第２実施形態に係る浴槽装置３００では、バスボード１１８の前側面１１８ｄと、カウンタ１１６の前側面１１６ｄとが略揃えられている。すなわち、壁面１１９からバスボード１１８の前側面１１８ｄまでの距離と、壁面１１９からカウンタ１１６の前側面１１６ｄまでの距離が略等しくなっている。これによりバスボード１１８とカウンタ１１６との間の前側面の段差が抑えられるため、着座したままのバスボード１１８とカウンタ１１６の間の移乗が容易となる。
【００３０】
また、本実施形態に係る浴槽装置３００によれば、バスボード１１８の前側面１１８ｄと、カウンタ１１６の前側面１１６ｄとが略揃えられていることにより、すっきりとした見栄えとなり、浴槽装置の意匠性を向上できる。例えば、カウンタ１１６の奥行き（すなわち壁面１１９からカウンタ１１６の前側面１１６ｄまでの長さ）は４００ｍｍであり、バスボード１１８の短手方向長さは３００ｍｍであってよい。カウンタ１１６の奥行きおよびバスボード１１８の短手方向長さがこの程度であると、ユーザ着座したときに背中が壁面１１９に近く、安心感が得られる。逆にカウンタ１１６の奥行きおよびバスボード１１８の短手方向長さがあまりに長くなると、ユーザ着座したときに背中と壁面１１９が遠くなり、安心感に欠けるおそれがある。
【００３１】
図６は、第２実施形態の変形例に係る浴槽装置４００を説明するための平面図である。図６に示す浴槽装置４００は、カウンタ１１６の形状が図５に示す浴槽装置３００と異なる。本変形例に係る浴槽装置４００では、バスボード１１８が中央部付近から湾曲した形状となっている。
【００３２】
上記の第２実施形態に係る浴槽装置３００の説明では、バスボード１１８の前側面１１８ｄと、カウンタ１１６の前側面１１６ｄとが略揃えられている、と説明した。しかしながら、少なくとも、バスボード１１８のカウンタ１１６側の端部近傍領域１１８ｂにおける前側面１１８ｄと、カウンタ１１６のバスボード１１８側の端部近傍領域１１６ｃにおける前側面１１６ｄとが略揃えられていれば、着座したままのバスボード１１８とカウンタ１１６との間の移乗を容易にするという目的を達成できる。
【００３３】
以上説明したように、上記の第１および第２実施形態に係る浴槽装置では、バスボード１１８のカウンタ１１６側の端部近傍領域１１８ｂの少なくとも一面と、カウンタ１１６のバスボード１１８側の端部近傍領域１１６ｃの少なくとも一面とが略揃えられている。これにより、バスボード１１８とカウンタ１１６との間の段差が抑えられるため、着座したままのバスボード１１８とカウンタ１１６の間の移乗が容易となる。
【００３４】
図７は、本発明の第３実施形態に係る浴槽装置５００の斜視図である。図８は、本発明の第３実施形態に係る浴槽装置５００の分解斜視図である。浴槽装置５００は、浴槽本体１１０と、浴槽本体１１０の上部に載せられるバスボード１１８と、第１風呂蓋５０１および第２風呂蓋５０２と、を備える。
【００３５】
本第３実施形態においても、浴槽本体１１０は、フランジ部１１２の内側にフランジ部１１２から１段下がったフランジ段部１１４が設けられており、該フランジ段部１１４にバスボード１１８が載置されている。これにより、フランジ部１１２の上面とバスボード１１８の上面１１８ａとが略揃えられている。
【００３６】
第１風呂蓋５０１は、フランジ部１１２上に浴槽本体１１０の半分を覆うように載置され、第２風呂蓋５０２は、フランジ部１１２上に浴槽本体１１０の残りの半分を覆うように載置される。図７に示すように、第１風呂蓋５０１は、バスボード１１８全体を覆っている。
【００３７】
本第３実施形態に係る浴槽装置５００では、バスボード１１８が第１風呂蓋５０１に覆われた状態において、バスボード１１８の上面１１８ａが第１風呂蓋５０１の下面５０１ａと当接している。これにより、浴槽本体１１０に溜めた湯の蒸気がバスボード１１８と第１風呂蓋５０１の間に入り込むのを防止または少なくとも抑制できるので、バスボード１１８の上面１１８ａに水滴が付着し難くなる。これは、例えばユーザが着衣したままバスボード１１８の上面１１８ａに着座し足だけを湯に入れる使用の際に、第１風呂蓋５０１を外した後にバスボード１１８の上面１１８ａに付着した水滴を拭く手間を省略できるので都合がよい。
【００３８】
上記では、バスボード１１８の上面１１８ａが第１風呂蓋５０１の下面５０１ａと当接していると説明したが、バスボード１１８の上面１１８ａの全域が第１風呂蓋５０１の下面５０１ａと当接している必要はなく、湯の蒸気がバスボード１１８と第１風呂蓋５０１の間に入り込むのを防止するための蒸気侵入防止構造がバスボード１１８に形成されていればよい。例えば、バスボード１１８の上面１１８ａの周縁に沿って凸状部が形成されていてもよい。
【００３９】
上述した浴槽装置５００では、バスボード１１８と第１風呂蓋５０１との間の隙間をなくす構成としたが、違う目的でバスボード１１８と第１風呂蓋５０１との間の隙間が積極的に設けられてもよい。積極的に隙間を設けることで、浴槽本体１１０に溜めた湯の蒸気がバスボード１１８の下面側からだけでなく、隙間からも蒸気が入り込み、バスボード１１８が両面から温められることになる。これにより、第１風呂蓋５０１を外してバスボード１１８を使用する際に、ユーザがひやっと感じるのを防ぐことができる。
【００４０】
以上、本発明の実施の形態およびその変形例をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４１】
１００，２００，３００，４００，５００  浴槽装置、  １１０  浴槽本体、  １１１  洗い場、  １１２  フランジ部、  １１４  フランジ段部、  １１６  カウンタ、  １１８  バスボード、  １１９  壁面、  ５０１  第１風呂蓋、  ５０２  第２風呂蓋。
【図１】
0006738146.tif 000002
【図２】
0006738146.tif 000003
【図３】
0006738146.tif 000004
【図４】
0006738146.tif 000005
【図５】
0006738146.tif 000006
【図６】
0006738146.tif 000007
【図７】
0006738146.tif 000008
【図８】
0006738146.tif 000009